(57)【要約】【課題】操作性に優れたウェブページ閲覧装置を提供する。【解決手段】ウェブページ閲覧装置（テレビジョン装置１００）は、接続可能な外部機器（例えば、スマートフォン、パーソナルコンピュータ、タブレット端末など）を認証する外部機器認証部８と、外部機器が有するウェブページ閲覧に関する設定情報を取得する設定情報取得部９と、設定情報を保存する設定情報保存部１１と、を備える。設定情報取得部９は、外部機器の認証結果に基づき設定情報を取得する。【選択図】図２
2015212882.tif 000002
【特許請求の範囲】
【請求項１】
接続可能な外部機器を認証する外部機器認証部と、
前記外部機器が有するウェブページ閲覧に関する設定情報を取得する設定情報取得部と、
前記設定情報を保存する設定情報保存部と、を備え、
前記設定情報取得部が前記外部機器の認証結果に基づき前記設定情報を取得するウェブページ閲覧装置。
【請求項２】
前記外部機器の機器認証が解除された場合は、前記設定情報保存部に保存された前記設定情報を消去する請求項１に記載のウェブページ閲覧装置。
【請求項３】
前記設定情報保存部が前記設定情報を保存するときに前記設定情報保存部が他の設定情報を予め保存していた場合は、前記他の設定情報を削除しない請求項１または請求項２に記載のウェブページ閲覧装置。
【請求項４】
前記設定情報を更新した場合は、更新した前記設定情報が、機器認証された前記外部機器との間で共有される請求項１〜３のいずれか一項に記載のウェブページ閲覧装置。
【請求項５】
接続可能な前記外部機器の中から前記設定情報を取得する対象の前記外部機器を選択する選択部を備える請求項１〜４のいずれか一項に記載のウェブページ閲覧装置。
【請求項６】
前記選択部は、前記外部機器が有するウェブページ閲覧ソフトウェアを更に選択する請求項５に記載のウェブページ閲覧装置。
【請求項７】
ユーザ又はユーザグループを特定する識別情報と外部機器とを対応付けて記憶する記憶部と、
前記記憶部の記憶情報に基づいて、前記選択部で選択可能な前記外部機器を前記識別情報に対応して抽出する第１抽出部と、を備える請求項５又は請求項６に記載のウェブページ閲覧装置。
【請求項８】
前記ウェブページ閲覧ソフトウェアの使用履歴情報を取得する使用履歴情報取得部と、
前記使用履歴情報に基づいて、前記選択部で選択可能な前記ウェブページ閲覧ソフトウェアを抽出する第２抽出部と、を備える請求項６に記載のウェブページ閲覧装置。
【請求項９】
前記第２抽出部は、前記使用履歴情報に基づいて、使用頻度が所定レベル以上の前記ウェブページ閲覧ソフトウェアを抽出する請求項８に記載のウェブページ閲覧装置。
【請求項１０】
前記第２抽出部は、前記使用履歴情報に基づいて、所定期間内に使用された前記ウェブページ閲覧ソフトウェアを抽出する請求項８に記載のウェブページ閲覧装置。
【請求項１１】
自装置に対して遠隔操作信号を送信している前記外部機器に基づいて、前記第１抽出部が、前記第１抽出部によって抽出される前記外部機器に対応する前記識別情報を決定する請求項７に記載のウェブページ閲覧装置。
【発明の詳細な説明】
【技術分野】
【０００１】
本発明は、インターネット上のウェブページを閲覧するウェブページ閲覧装置に関する。
【背景技術】
【０００２】
近年、スマートフォンのリモートコントロール用アプリケーションを実行してスマートフォンをリモートコントロール送信機として利用する利用形態が増加している。これにより、リモートコントロール送信機の操作性が著しく向上するので、テレビ受像機でのウェブページの閲覧が増えていくと考えられる。
【０００３】
ウェブページ閲覧では、閲覧履歴、事前に登録したお気に入りのウェブページ情報、キャッシュ情報などを用いることで、ユーザが所望のウェブページを閲覧することが容易になる。また、ウェブメールの確認やネットショッピングなどを目的としたウェブページの閲覧では、家族の各個人のユーザ情報を使ってブラウザを表示する。
【先行技術文献】
【特許文献】
【０００４】
【特許文献１】特開２００５−１２８６１６号公報
【発明の概要】
【発明が解決しようとする課題】
【０００５】
しかしながら、リビングなどに設置されるテレビ受像機に関しては、家族全員で１台を共有することが一般的である。そのため、ユーザに適した閲覧履歴、事前に登録したお気に入りのウェブページ情報、キャッシュ情報などを用いることが難しい。さらにウェブメールの確認やネットショッピングなどではＩＤ（identification）やパスワードの入力を省略しようとしてもＩＤやパスワードの入力作業が毎回発生してしまい、煩わしかった。
【０００６】
また、最近では同一のユーザがスマートフォンを複数台使用することやスマートフォンとタブレット端末とパーソナルコンピュータを並行して使用することが一般的になっている。このため、閲覧履歴、事前に登録したお気に入りのウェブページ情報、キャッシュ情報などをインターネット上のサーバに保存することで、閲覧履歴、事前に登録したお気に入りのウェブページ情報、キャッシュ情報などを複数の装置間で共有する方法がある（例えば特許文献１参照）。
【０００７】
しかしながら、当該方法では、インターネット上のサーバが共有情報を一括で管理しているため、同期のタイミングによって複数の装置間で閲覧履歴、事前に登録したお気に入りのウェブページ情報、キャッシュ情報などの不整合が発生しやすいという問題がある。また、当該方法では、閲覧履歴、事前に登録したお気に入りのウェブページ情報などを装置毎にカスタマイズしたいという要望に応えることができないという問題がある。さらに、当該方法では、インターネット上のサーバが必要であるため、家庭内のＬＡＮ（Local Area Network）のみで完結するシステムを構築することができないという問題がある。
【０００８】
本発明は、上記の状況に鑑み、操作性に優れたウェブページ閲覧装置を提供することを目的とする。
【課題を解決するための手段】
【０００９】
上記目的を達成するために本発明に係るウェブページ閲覧装置は、接続可能な外部機器を認証する外部機器認証部と、前記外部機器が有するウェブページ閲覧に関する設定情報を取得する設定情報取得部と、前記設定情報を保存する設定情報保存部と、を備え、前記設定情報取得部が前記外部機器の認証結果に基づき前記設定情報を取得する構成（第１の構成）とする。
【００１０】
このような構成によると、機器認証された外部機器のウェブページ閲覧の設定を利用して、機器認証された外部機器と同様のウェブページ閲覧の設定にすることができる。これにより、ウェブページ閲覧の度にウェブページ閲覧の設定に関する情報をユーザが入力する必要がなくなるので、操作性に優れている。また、機器認証されない外部機器のウェブページ閲覧の設定は利用できないので、ウェブページ閲覧の設定に含まれる個人情報を保護することができる。
【００１１】
上記第１の構成のウェブページ閲覧装置において、前記外部機器の機器認証が解除された場合は、前記設定情報保存部に保存された前記設定情報を消去する構成（第２の構成）であることが好ましい。
【００１２】
このような構成によると、外部機器の機器認証に必要な情報を知らない者が設定情報保存部に保存された設定情報を不正に利用することを防止することができる。
【００１３】
上記第１又は第２の構成のウェブページ閲覧装置において、前記設定情報保存部が前記設定情報を保存するときに前記設定情報保存部が他の設定情報を予め保存していた場合は、前記他の設定情報を削除しない構成（第３の構成）であることが好ましい。
【００１４】
このような構成によると、外部機器を接続せずにテレビジョン装置１００をブラウザの閲覧に使用していたときに利用していたブラウザの設定情報を設定情報保存部に残すことができる。
【００１５】
上記第１〜第３のいずれかの構成のウェブページ閲覧装置において、前記設定情報を更新した場合は、更新した前記設定情報が、機器認証された前記外部機器との間で共有される構成（第４の構成）であることが好ましい。
【００１６】
このような構成によると、ウェブページ閲覧装置によってウェブページが閲覧されている最中にブラウザの設定情報は変更された場合は、設定情報保存部に保存されている設定情報が更新され、更新された設定情報が機器認証された外部機器との間で共有される。これにより、機器認証された外部機器のウェブページ閲覧に関する設定情報が自動的に更新され、機器認証された外部機器のウェブページ閲覧に関する利便性が向上する。
【００１７】
上記第１〜第４のいずれかの構成のウェブページ閲覧装置において、接続可能な前記外部機器の中から前記設定情報を取得する対象の前記外部機器を選択する選択部を備える構成（第５の構成）であることが好ましい。
【００１８】
このような構成によると、ウェブページ閲覧の設定に関して、少なくとも一つの選択肢の中から選択することができる。これにより、ウェブページ閲覧の目的に応じて、その閲覧に適した設定を選択することができる。
【００１９】
上記第５の構成のウェブページ閲覧装置において、前記選択部は、前記外部機器が有するウェブページ閲覧ソフトウェアを更に選択する構成（第６の構成）であることが好ましい。
【００２０】
このような構成によると、選択の幅が拡がるため、ウェブページ閲覧の目的に応じて、その閲覧に適した設定を容易に選択することができる。
【００２１】
上記第５又は第６の構成のウェブページ閲覧装置において、ユーザ又はユーザグループを特定する識別情報と外部機器とを対応付けて記憶する記憶部と、前記記憶部の記憶情報に基づいて、前記選択部で選択可能な前記外部機器を前記識別情報に対応して抽出する第１抽出部と、を備える構成（第７の構成）であることが好ましい。
【００２２】
このような構成によると、ウェブページ閲覧の設定に関する選択肢をユーザ情報毎に変更することができる。これにより、ユーザが自身に適した設定を容易に選択することができる。
【００２３】
上記第６の構成のウェブページ閲覧装置において、前記ウェブページ閲覧ソフトウェアの使用履歴情報を取得する使用履歴情報取得部と、前記使用履歴情報に基づいて、前記選択部で選択可能な前記ウェブページ閲覧ソフトウェアを抽出する第２抽出部と、を備える構成（第８の構成）であることが好ましい。
【００２４】
このような構成によると、外部機器のウェブページ閲覧ソフトウェアの使用履歴情報を考慮した選択候補を抽出することができるので、ユーザが自身に適した設定を容易に選択することができる。
【００２５】
上記第６の構成のウェブページ閲覧装置において、前記第２抽出部は、前記使用履歴情報に基づいて、使用頻度が所定レベル以上の前記ウェブページ閲覧ソフトウェアを抽出する構成（第９の構成）であることが好ましい。
【００２６】
このような構成によると、例えば使用頻度の高いウェブページ閲覧ソフトウェアを容易に抽出することができる。
【００２７】
上記第８の構成のウェブページ閲覧装置において、前記第２抽出部は、前記使用履歴情報に基づいて、所定期間内に使用された前記ウェブページ閲覧ソフトウェアを抽出する構成（第１０の構成）であることが好ましい。
【００２８】
このような構成によると、例えば直近の期間内に使用されたウェブページ閲覧ソフトウェアを容易に抽出することができる。
【００２９】
上記第７の構成のウェブページ閲覧装置において、自装置に対して遠隔操作信号を送信している前記外部機器に基づいて、前記第１抽出部が、前記第１抽出部によって抽出される前記外部機器に対応する前記識別情報を決定する構成（第１１の構成）であることが好ましい。
【００３０】
このような構成によると、ウェブページ閲覧の設定に関する選択肢を、自装置に対して遠隔操作信号を送信している外部機器に応じた識別情報に対応するように自動的に切り替えることができる。これにより、利便性が向上する。
【発明の効果】
【００３１】
本発明に係るウェブページ閲覧装置によると、機器認証された外部機器のウェブページ閲覧の設定を利用して、機器認証された外部機器と同様のウェブページ閲覧の設定にすることができる。これにより、ウェブページ閲覧の度にウェブページ閲覧の設定に関する情報をユーザが入力する必要がなくなるので、操作性に優れている。また、機器認証されない外部機器のウェブページ閲覧の設定は利用できないので、ウェブページ閲覧の設定に含まれる個人情報を保護することができる。
【図面の簡単な説明】
【００３２】
【図１】本発明の第１実施形態に係るウェブページ閲覧装置を含むホームネットワーク構成の一例を示す図である。
【図２】本発明の第１実施形態に係るウェブページ閲覧装置の概略構成を示す図である。
【図３】本発明の第１実施形態に係るウェブページ閲覧装置のブラウザ起動処理の一例を示すシーケンス図である。
【図４】本発明の第１実施形態に係るウェブページ閲覧装置の表示例を示す図である。
【図５】本発明の第１実施形態に係るウェブページ閲覧装置の表示例を示す図である。
【図６】本発明の第２実施形態に係るウェブページ閲覧装置の概略構成を示す図である。
【図７】本発明の第２実施形態に係るウェブページ閲覧装置のブラウザ起動処理の一例を示すシーケンス図である。
【図８】ユーザ情報と外部機器のブラウザとの対応付けを模式的に示す図である。
【図９】本発明の第２実施形態に係るウェブページ閲覧装置の表示例を示す図である。
【図１０】本発明の第２実施形態に係るウェブページ閲覧装置の表示例を示す図である。
【図１１】本発明の第３実施形態に係るウェブページ閲覧装置の概略構成を示す図である。
【図１２】本発明の第３実施形態に係るウェブページ閲覧装置のブラウザ起動処理の一例を示すシーケンス図である。
【図１３】本発明の第３実施形態に係るウェブページ閲覧装置の表示例を示す図である。
【図１４】本発明の第４実施形態に係るウェブページ閲覧装置のブラウザ起動処理の一例を示すシーケンス図である。
【発明を実施するための形態】
【００３３】
本発明の実施形態について図面を参照して以下に説明する。後述する実施形態はあくまで例示であり、本発明は後述する実施形態に限定されるものではない。各実施形態は矛盾のない限り、適宜組み合わせて実施することができ、また、各実施形態で説明する例示や変形例は矛盾のない限り、他の実施形態にも適用することができる。
【００３４】
＜第１実施形態＞
図１は、本発明の第１実施形態に係るウェブページ閲覧装置を含むホームネットワーク構成の一例を示す図である。図１に示すホームネットワーク構成は、テレビジョン装置１００と、スマートフォン２００及び３００と、パーソナルコンピュータ４００とを含んでおり、それぞれの装置がＬＡＮ５００によってネットワーク接続されている。ＬＡＮ５００によるネットワーク接続は、全てが無線接続であってもよく、一部が無線接続で一部が有線接続であってもよく、全てが有線接続であってもよい。
【００３５】
なお、本実施形態では、スマートフォン２００及び３００がブラウザＡをインストールしており、パーソナルコンピュータ４００がブラウザＢ及びブラウザＣをインストールしているものとする。ブラウザＡ〜Ｃの例としては、インターネットエクスプローラー（登録商標）、ファイヤーフォックス（登録商標）、グーグル・クロム（登録商標）、サファリ（登録商標）などを挙げることができる。
【００３６】
テレビジョン装置１００は、本実施形態に係るウェブページ閲覧装置である。ここで、テレビジョン装置１００の概略構成について図２を参照して説明する。テレビジョン装置１００は、表示装置を内蔵するウェブページ閲覧装置であって、チューナー部１と、外部入力インターフェース部２と、無線通信インターフェース部３と、ＬＡＮインターフェース部４と、制御部５と、表示部６と、音声出力部７とを備えている。
【００３７】
チューナー部１は、アンテナなどから供給される放送信号に対して選局処理、復調処理などを施し、選局された放送局の番組データを制御部５に出力する。
【００３８】
外部入力インターフェース部２は、例えばＨＤＭＩ（登録商標）ケーブルを介して外部のコンテンツ出力機器との接続が可能であり、外部のコンテンツ出力機器から供給されるコンテンツデータを制御部５に出力する。外部のコンテンツ出力機器としては、例えば、光ディスク装置、ハードディスク装置、或いはこれらの複合機などを挙げることができる。
【００３９】
無線通信インターフェース部３は、外部の無線通信機器と無線通信が可能であり、外部の無線通信機器から供給されるコンテンツデータや遠隔操作信号を制御部５に出力する。無線通信の方式は特に限定されないが、例えばBluetooth（登録商標）通信、Ｗｉ−Ｆｉ（登録商標）通信、赤外線通信などを挙げることができる。無線通信インターフェース部３は、単一の無線通信方式にのみ対応する構成、複数の無線通信方式に対応する構成のいずれであっても構わない。
【００４０】
ＬＡＮインターフェース部４は、ＬＡＮケーブルを介して外部のＬＡＮルータなどとの接続が可能である。無線通信インターフェース部３がＷｉ−Ｆｉ（登録商標）通信に対応していない場合であっても、ＬＡＮインターフェース部４に外部の無線ＬＡＮルータを接続することで、テレビジョン装置１００と外部の無線通信機器とのＷｉ−Ｆｉ（登録商標）通信が可能になる。
【００４１】
制御部５は、ＳｏＣ（System On Chip）により構成されており、テレビジョン装置１００全体を制御する。制御部５は、不揮発的に記憶している所定のプログラムを実行することにより、外部機器認証部８、設定情報取得部９、選択部１０、及び設定情報保存部１１を有する制御部として動作することになる。外部機器認証部８、設定情報取得部９、選択部１０、及び設定情報保存部１１の詳細については後述する。
【００４２】
表示部６は、制御部５から出力される表示信号に基づく表示を行う。表示部６の種類は特に限定されないが、例えば液晶表示部などの薄型表示部であることが望ましい。
【００４３】
音声出力部７は、スピーカにより構成されており、制御部５から出力される音声信号に基づく音声出力を行う。
【００４４】
次に、テレビジョン装置１００のブラウザ起動処理について説明する。図３は、テレビジョン装置１００のブラウザ起動処理の一例を示すシーケンス図である。
【００４５】
テレビジョン装置１００は、インターネット接続を指示する遠隔操作信号を受け取ると、ブラウザ起動用前処理を開始する。
【００４６】
ブラウザ起動用前処理の開始後、テレビジョン装置１００は、ブラウザの選択候補を表示画面に表示する。ブラウザの選択候補は制御部５内の内蔵メモリに予め記憶させておいてもよく、ホームネットワーク上でテレビジョン装置１００に通信接続可能な外部機器がテレビジョン装置１００の問い合わせに応じて自己のブラウザをテレビジョン装置１００に知らせるようにすることでテレビジョン装置１００がブラウザの選択候補を認識するようにしてもよい。後者の方が、実際にホームネットワーク上にある外部機器のブラウザのみをブラウザの選択候補にすることができるので好ましい。前者の場合、ホームネットワーク上に存在しないウェブページ閲覧装置のブラウザが選択されたときには「選択された外部機器は現在ホームネットワークに接続されていません。」などのエラーメッセージを表示することが望ましい。
【００４７】
ブラウザの選択候補を表示している表示例を図４に示す。図４に示す表示例においてテレビジョン装置１００の表示画面に表示されている表示枠１２の位置は、リモートコントローラ送信機の上下キーをユーザが操作することなどによって変更可能である。
【００４８】
以下、図４に示す状態において、選択部１０が選択を行う場合を例に挙げて説明する。図４に示す状態において、リモートコントローラ送信機の決定キーをユーザが操作することなどによって、選択部１０は「スマートフォン２００」及び「ブラウザＡ」を選択する。当該選択が行われると、外部機器認証部８は「スマートフォン２００」の認証を行うために、図５に示す表示を行ってユーザに対してパスワード入力を要求する。
【００４９】
図５に示す表示例の場合、スマートフォン２００のログインパスワードが入力されると、外部機器認証部８は「スマートフォン２００」の機器認証を完了し、「スマートフォン２００のブラウザＡ」に対応する設定情報を設定情報取得部９に取得させる。これにより、結果的に、設定情報取得部９は、「スマートフォン２００」の機器認証が完了してから設定情報を取得することになる。
【００５０】
なお、スマートフォン２００のログインパスワードは、リモートコントローラ送信機の数字キーをユーザが操作することなどによって入力することができる。このようなパスワード認証を実行する場合、制御部５内の内蔵メモリが外部機器それぞれに対応するパスワードを記憶しておくようにすればよい。また、機器認証はパスワード認証に限定されることはなく、パスワード以外の認証であってもよい。
【００５１】
「スマートフォン２００」の機器認証が完了した場合、設定情報取得部９は、無線通信インターフェース部３やＬＡＮインターフェース部４を用いて、ＬＡＮ５００経由でスマートフォン２００に対してブラウザＡの設定情報を要求する。スマートフォン２００は、テレビジョン装置１００からの要求に応じてＬＡＮ５００経由でテレビジョン装置１００に対してブラウザＡの設定情報を送信する。テレビジョン装置１００は、無線通信インターフェース部３やＬＡＮインターフェース部４を用いて、ＬＡＮ５００経由でスマートフォン２００のブラウザＡの設定情報を受信し、受信した設定情報を設定情報保存部１１が保存する。この保存時に設定情報保存部１１が他の設定情報を予め保存していた場合は、テレビジョン装置１００の制御部５は当該他の設定情報を削除しないようにする。これにより、外部機器を接続せずにテレビジョン装置１００をブラウザの閲覧に使用していたときに利用していたブラウザの設定情報を設定情報保存部１１に残すことができる。
【００５２】
その後、テレビジョン装置１００の制御部５は、取得したスマートフォン２００のブラウザＡの設定情報を、後ほど起動するブラウザで使用可能な形式に変換する。なお、取得した設定情報に対応するブラウザが、テレビジョン装置１００が起動するブラウザすなわちテレビジョン装置１００にインストールされているブラウザと同一である場合は、上記の変換処理を省略することができる。
【００５３】
そして、テレビジョン装置１００の制御部５は、取得したスマートフォン２００のブラウザＡの設定情報を用いて、テレビジョン装置１００にインストールされているブラウザを起動させる。この起動が完了すると、テレビジョン装置１００でウェブページを閲覧することができる。ウェブページが閲覧されている最中にブラウザの設定情報は変更され得る。そこで、ウェブページが閲覧されている最中にブラウザの設定情報は変更された場合は、テレビジョン装置１００の制御部５は、設定情報保存部１１に保存されている設定情報を更新し、更新した設定情報を機器認証された外部機器との間で共有する。これにより、機器認証された外部機器のウェブページ閲覧に関する設定情報が自動的に更新され、機器認証された外部機器のウェブページ閲覧に関する利便性が向上する。
【００５４】
なお、ブラウザの設定情報は、閲覧履歴、事前に登録したお気に入りのウェブページ情報、キャッシュ情報の少なくとも一つを含んでいる。また、ブラウザの設定情報にウェブメールのＩＤやパスワードを含めてもよい。
【００５５】
その後、「スマートフォン２００」の機器認証が解除されると、テレビジョン装置１００の制御部５は、設定情報保存部１１に保存されたスマートフォン２００のブラウザＡの設定情報を消去する。これは、スマートフォン２００の機器認証に必要な情報（例えばスマートフォン２００のログインパスワード）を知らない者がスマートフォン２００のブラウザＡの設定情報を不正に利用することを防止するためである。「スマートフォン２００」の機器認証が解除されるタイミングは特に限定されないが、例えばブラウザの終了時やテレビジョン装置１００の電源オフ時などが考えられる。
【００５６】
以上説明した本実施形態に係るテレビジョン装置１００は、接続可能な外部機器を認証する外部機器認証部８と、外部機器が有するウェブページ閲覧に関する設定情報を取得する設定情報取得部９と、設定情報を保存する設定情報保存部１１と、を備え、設定情報取得部９が外部機器の認証結果に基づき設定情報を取得する構成である。
【００５７】
このような構成によると、機器認証された外部機器のウェブページ閲覧の設定を利用して、機器認証された外部機器と同様のウェブページ閲覧の設定にすることができる。これにより、ウェブページ閲覧の度にウェブページ閲覧の設定に関する情報をユーザが入力する必要がなくなるので、操作性に優れている。また、機器認証されない外部機器のウェブページ閲覧の設定は利用できないので、ウェブページ閲覧の設定に含まれる個人情報を保護することができる。
【００５８】
また、本実施形態に係るテレビジョン装置１００は、外部機器の機器認証が解除されると、前記設定情報保存部に保存された前記設定情報を消去する構成である。
【００５９】
このような構成によると、外部機器の機器認証に必要な情報を知らない者が設定情報保存部に保存された設定情報を不正に利用することを防止することができる。
【００６０】
また、本実施形態に係るテレビジョン装置１００は、設定情報保存部１１が設定情報を保存するときに設定情報保存部１１が他の設定情報を予め保存していた場合は、他の設定情報を削除しない構成である。
【００６１】
このような構成によると、外部機器を接続せずにテレビジョン装置１００をブラウザの閲覧に使用していたときに利用していたブラウザの設定情報を設定情報保存部１１に残すことができる。
【００６２】
また、本実施形態に係るテレビジョン装置１００は、設定情報を更新したときに、更新した設定情報が、機器認証された外部機器との間で共有される構成である。
【００６３】
このような構成によると、テレビジョン装置１００によってウェブページが閲覧されている最中にブラウザの設定情報は変更された場合は、設定情報保存部１１に保存されている設定情報が更新され、更新された設定情報が機器認証された外部機器との間で共有される。これにより、機器認証された外部機器のウェブページ閲覧に関する設定情報が自動的に更新され、機器認証された外部機器のウェブページ閲覧に関する利便性が向上する。
【００６４】
また、本実施形態に係るテレビジョン装置１００は、接続可能な前記外部機器の中から設定情報を取得する対象の外部機器を選択する選択部１０を備える構成である。
【００６５】
このような構成によると、ウェブページ閲覧の設定に関して、少なくとも一つの選択肢の中から選択することができる。これにより、ウェブページ閲覧の目的に応じて、その閲覧に適した設定を選択することができる。
【００６６】
また、本実施形態に係るテレビジョン装置１００は、選択部１０が外部機器が有するウェブページ閲覧ソフトウェアを更に選択する構成である。
【００６７】
このような構成によると、選択の幅が拡がるため、ウェブページ閲覧の目的に応じて、その閲覧に適した設定を容易に選択することができる。
【００６８】
＜第２実施形態＞
本発明の第２実施形態に係るウェブページ閲覧装置を含むホームネットワーク構成の一例は、本発明の第１実施形態において説明した図１に示すホームネットワーク構成と同様である。
【００６９】
なお、本実施形態においても第１実施形態と同様に、スマートフォン２００及び３００がブラウザＡをインストールしており、パーソナルコンピュータ４００がブラウザＢ及びブラウザＣをインストールしているものとする。また、スマートフォン２００はユーザＡが所有しており、スマートフォン３００はユーザＢが所有しており、パーソナルコンピュータ４００はユーザＡとユーザＢが共有しているものとする。
【００７０】
テレビジョン装置１００は、本実施形態に係るウェブページ閲覧装置である。図６は、本実施形態におけるテレビジョン装置１００の概略構成を示す図である。なお、図６において、図２と同一の部分には同一の符号を付し詳細な説明を省略する。
【００７１】
テレビジョン装置１００の制御部５は、外部機器認証部８、設定情報取得部９、選択部１０、及び設定情報保存部１１に加えて、記憶部１３及び抽出部１４を備えている。なお、設定情報保存部１１及び記憶部１３は、制御部５内の同一の内蔵メモリによって構成されていてもよく、制御部５内の別々の内蔵メモリによって構成されていてもよい。
【００７２】
次に、テレビジョン装置１００のブラウザ起動処理について説明する。図７は、本実施形態におけるテレビジョン装置１００のブラウザ起動処理の一例を示すシーケンス図である。
【００７３】
テレビジョン装置１００は、インターネット接続を指示する遠隔操作信号を受け取ると、ブラウザ起動用前処理を開始する。
【００７４】
ブラウザ起動用前処理の開始後、テレビジョン装置１００は、「ユーザ情報を入力して下さい。」などのメッセージ表示を行うことにより、ユーザに対してユーザ情報を要求する。例えば登録するユーザが四人以下であれば、リモートコントロール送信機の各カラーキー（青色キー、赤色キー、緑色キー、黄色キー）に各ユーザを予め割り当てておき、ユーザ情報を要求している状態でリモートコントロール送信機のカラーキーが押されることで、ユーザ情報が入力されるようにすればよい。なお、本実施形態では個々のユーザを特定するユーザ情報を用いるが、ユーザ情報の代わりに或いはユーザ情報に加えて、ユーザグループ（親グループ、子供グループ、男性グループ、女性グループなど）を特定するユーザグループ情報を用いてもよい。
【００７５】
テレビジョン装置１００の記憶部１３は、ユーザ情報（識別情報の一例）と外部機器のブラウザとを対応付けて記憶している。なお、記憶部１３がユーザ情報（識別情報の一例）と外部機器のみとを対応付けて記憶してもよい。以下、記憶部１３が図８に示す対応付けを記憶している場合について説明する。
【００７６】
ユーザ情報としてユーザＡを示す情報が入力された場合、抽出部１４は、記憶部１３の記憶内容に基づいて、「スマートフォン２００のブラウザＡ」、「パーソナルコンピュータ４００のブラウザＢ」、「パーソナルコンピュータ４００のブラウザＣ」を選択候補として抽出する。この抽出に従って、テレビジョン装置１００は図９に示す表示を行う。一方、ユーザ情報としてユーザＢを示す情報が入力された場合、抽出部１４は、記憶部１３の記憶内容に基づいて、「スマートフォン３００のブラウザＡ」、「パーソナルコンピュータ４００のブラウザＢ」、「パーソナルコンピュータ４００のブラウザＣ」を選択候補として抽出する。この抽出に従って、テレビジョン装置１００は図１０に示す表示を行う。
【００７７】
なお、図９に示す表示において、前回ユーザＡによって選択された「外部機器のブラウザ」を一番上に表示するようにしてもよい。同様に、図１０に示す表示において、前回ユーザＢによって選択された「外部機器のブラウザ」を一番上に表示するようにしてもよい。
【００７８】
図９又は図１０に示す状態において、リモートコントローラ送信機の決定キーをユーザが操作することなどによって、選択部１０は「外部機器」及び「ウェブページ閲覧ソフトウェア」を選択する。選択部１０が選択を行った後の処理は、第１実施形態と同様であるため説明を省略する。
【００７９】
以上説明した本実施形態に係るテレビジョン装置１００は、第１実施形態と同様の効果を奏する。
【００８０】
また、本実施形態に係るテレビジョン装置１００は、ユーザ情報と外部機器とを対応付けて記憶する記憶部１３と、記憶部１３が記憶しているユーザ情報に基づいて、選択部１０で選択可能な外部機器をユーザ情報に対応して抽出する抽出部１４と、を備える構成である。
【００８１】
このような構成によると、ウェブページ閲覧の設定に関する選択肢をユーザ情報毎に変更することができる。これにより、ユーザが自身に適した設定を容易に選択することができる。
【００８２】
＜第３実施形態＞
本発明の第３実施形態に係るウェブページ閲覧装置を含むホームネットワーク構成の一例は、本発明の第１実施形態において説明した図１に示すホームネットワーク構成と同様である。
【００８３】
なお、本実施形態においても第１実施形態と同様に、スマートフォン２００及び３００がブラウザＡをインストールしており、パーソナルコンピュータ４００がブラウザＢ及びブラウザＣをインストールしているものとする。
【００８４】
テレビジョン装置１００は、本実施形態に係るウェブページ閲覧装置である。図１１は、本実施形態におけるテレビジョン装置１００の概略構成を示す図である。なお、図１１において、図６と同一の部分には同一の符号を付し詳細な説明を省略する。
【００８５】
テレビジョン装置１００の制御部５は、外部機器認証部８、設定情報取得部９、選択部１０、設定情報保存部１１、及び抽出部１４に加えて、使用履歴情報取得部１５を備えている。ただし、本実施形態では抽出部１４が第２実施形態とは異なる抽出を行う。
【００８６】
次に、テレビジョン装置１００のブラウザ起動処理について説明する。図１２は、本実施形態におけるテレビジョン装置１００のブラウザ起動処理の一例を示すシーケンス図である。
【００８７】
テレビジョン装置１００は、インターネット接続を指示する遠隔操作信号を受け取ると、ブラウザ起動用前処理を開始する。
【００８８】
ブラウザ起動用前処理の開始後、使用履歴情報取得部１５は、無線通信インターフェース部３やＬＡＮインターフェース部４を用いて、ＬＡＮ５００経由でホームネットワークに接続されている外部機器全てに対してブラウザの使用履歴情報を要求する。スマートフォン２００及び３００はそれぞれ、テレビジョン装置１００からの要求に応じてＬＡＮ５００経由でテレビジョン装置１００に対してブラウザＡの使用履歴情報を送信する。パーソナルコンピュータ４００は、テレビジョン装置１００からの要求に応じてＬＡＮ５００経由でテレビジョン装置１００に対してブラウザＢの使用履歴情報とブラウザＣの使用履歴情報を送信する。使用履歴情報取得部１５は、無線通信インターフェース部３やＬＡＮインターフェース部４を用いて、ＬＡＮ５００経由で各装置の各ブラウザの使用履歴情報を取得する。
【００８９】
抽出部１４は、使用履歴情報取得部１５によって取得された各装置の各ブラウザの使用履歴情報に基づいて、「スマートフォン２００のブラウザＡ」、「パーソナルコンピュータ４００のブラウザＢ」、「パーソナルコンピュータ４００のブラウザＣ」を選択候補として抽出する。この抽出に従って、テレビジョン装置１００は図１３に示す表示を行う。抽出方法の具体例としては、使用頻度が所定レベル以上（例えば週３回使用など）のウェブページ閲覧ソフトウェアを抽出する方法や所定期間内（例えば直近２日以内など）に使用されたウェブページ閲覧ソフトウェアを抽出する方法を挙げることができる。
【００９０】
使用履歴情報が使用開始日時データを含むようにし、図１３に示すように使用開始日時も表示することが望ましい。使用開始日時とともに使用終了日時を表示するようにしてもよい。また、使用開始日時に代えて或いは使用開始日時に加えて、使用時間を表示するようにしてもよい。このような日時や時間に関する情報を表示することにより、ユーザが自身に適した設定を選択し易くなる。
【００９１】
図１３に示す表示が行われた後の処理は、第１実施形態と同様であるため説明を省略する。
【００９２】
以上説明した本実施形態に係るテレビジョン装置１００は、第１実施形態と同様の効果を奏する。
【００９３】
また、本実施形態に係るテレビジョン装置１００は、外部機器のウェブページ閲覧ソフトウェアの使用履歴情報を取得する使用履歴情報取得部１５と、使用履歴情報に基づいて、選択部１０で選択可能なウェブページ閲覧ソフトウェアを抽出する抽出部１４と、を備える構成である。
【００９４】
このような構成によると、外部機器のウェブページ閲覧ソフトウェアの使用履歴情報を考慮した選択候補を抽出することができるので、ユーザが自身に適した設定を容易に選択することができる。
【００９５】
＜第４実施形態＞
本発明の第４実施形態に係るウェブページ閲覧装置を含むホームネットワーク構成の一例は、本発明の第１実施形態において説明した図１に示すホームネットワーク構成と同様である。
【００９６】
なお、本実施形態においても第１実施形態と同様に、スマートフォン２００及び３００がブラウザＡをインストールしており、パーソナルコンピュータ４００がブラウザＢ及びブラウザＣをインストールしているものとする。また、スマートフォン２００はユーザＡが所有しており、スマートフォン３００はユーザＢが所有しており、パーソナルコンピュータ４００はユーザＡとユーザＢが共有しているものとする。
【００９７】
テレビジョン装置１００は、本実施形態に係るウェブページ閲覧装置である。本実施形態におけるテレビジョン装置１００の概略構成は図６に示す第２実施形態の構成と同様である。
【００９８】
次に、テレビジョン装置１００のブラウザ起動処理について説明する。図１４は、本実施形態におけるテレビジョン装置１００のブラウザ起動処理の一例を示すシーケンス図である。
【００９９】
本実施形態では、スマートフォン２００及び３００にはそれぞれ、テレビジョン装置１００を遠隔操作するためのアプリケーションソフトウェアがインストールされている。
【０１００】
テレビジョン装置１００は、スマートフォン２００又はスマートフォン３００から、インターネット接続を指示する遠隔操作信号を受け取ると、ブラウザ起動用前処理を開始する。
【０１０１】
なお、本実施形態とは異なり、インターネット接続を指示する遠隔操作信号は一般的な赤外線方式のリモートコントロール送信機から送信されてもよい。この場合、インターネット接続を指示する遠隔操作信号をテレビジョン装置１００が受信する前或いは後で、スマートフォン２００又はスマートフォン３００から他の遠隔操作信号がテレビジョン装置１００に対して送信されるようにするとよい。
【０１０２】
ブラウザ起動用前処理の開始後、テレビジョン装置１００の制御部５は、スマートフォンのＭＡＣアドレスなどを利用して、遠隔操作信号の送信元であるスマートフォンを特定する。
【０１０３】
テレビジョン装置１００の記憶部１３は、ユーザ情報（識別情報の一例）と外部機器のブラウザとを対応付けて記憶している。以下、記憶部１３が図８に示す対応付けを記憶している場合について説明する。
【０１０４】
また、テレビジョン装置１００の記憶部１３は、各スマートフォンと各ユーザとを関連付けた情報を予め記憶している。本実施形態では、スマートフォン２００とユーザＡとが関連付けられており、スマートフォン３００とユーザＢとが関連付けられている。
【０１０５】
遠隔操作信号の送信元がスマートフォン２００である場合、抽出部１４は、記憶部１３の記憶内容と自装置に対して遠隔操作信号を送信しているスマートフォン２００に基づいて、「スマートフォン２００のブラウザＡ」、「パーソナルコンピュータ４００のブラウザＢ」、「パーソナルコンピュータ４００のブラウザＣ」を選択候補として抽出する。この抽出に従って、テレビジョン装置１００は図９に示す表示を行う。一方、遠隔操作信号の送信元がスマートフォン３００である場合、抽出部１４は、記憶部１３の記憶内容と自装置に対して遠隔操作信号を送信しているスマートフォン３００に基づいて、「スマートフォン３００のブラウザＡ」、「パーソナルコンピュータ４００のブラウザＢ」、「パーソナルコンピュータ４００のブラウザＣ」を選択候補として抽出する。この抽出に従って、テレビジョン装置１００は図１０に示す表示を行う。
【０１０６】
その後の処理は、第２実施形態と同様であるため説明を省略する。
【０１０７】
なお、上述した通り、スマートフォン２００及び３００の一方がテレビジョン装置１００を遠隔操作するためのアプリケーションソフトウェアを実行することにより、遠隔操作に関してテレビジョン装置１００と連動する。この状況において、スマートフォン２００及び３００の他方もテレビジョン装置１００を遠隔操作するためのアプリケーションソフトウェアを実行することがあり得る。この場合、スマートフォン２００及び３００の他方からの割り込みを許可してもよく、拒絶してもよい。当該割り込みを許可する場合には、当該割り込みを許可した時点で、図１４に示す処理をやり直すようにしてもよい。
【０１０８】
以上説明した本実施形態に係るテレビジョン装置１００は、第２実施形態と同様の効果を奏する。
【０１０９】
また、本実施形態に係るテレビジョン装置１００は、自装置に対して遠隔操作信号を送信している外部機器に基づいて、抽出部１４が、抽出部１４によって抽出される外部機器に対応するユーザ情報を決定する構成である。
【０１１０】
このような構成によると、ウェブページ閲覧の設定に関する選択肢を、自装置に対して遠隔操作信号を送信している外部機器に応じたユーザ情報に対応するように自動的に切り替えることができる。これにより、利便性が向上する。
【０１１１】
＜その他＞
上述した各実施形態では、テレビジョン装置に本発明を適用したが、例えば光ディスク装置等の表示信号を出力する機器に本発明を適用してもよい。
【０１１２】
また、外部機器の一例であるパーソナルコンピュータにおいて複数のユーザアカウントを作成し、パーソナルコンピュータがユーザ毎の設定情報を記憶している場合、同一のブラウザであってもユーザ毎に異なるブラウザとして取り扱って本発明を実施するようにしてもよい。また、これとは異なり、管理者権限を持つユーザの設定情報のみを用いるようにしてもよい。
【符号の説明】
【０１１３】
１  チューナー部
２  外部入力インターフェース部
３  無線通信インターフェース部
４  ＬＡＮインターフェース部
５  制御部
６  表示部
７  音声出力部
８  外部機器認証部
９  設定情報取得部
１０  選択部
１１  設定情報保存部
１２  表示枠
１３  記憶部
１４  抽出部
１５  使用履歴情報取得部
１００  テレビジョン装置
２００、３００  スマートフォン
４００  パーソナルコンピュータ
５００  ＬＡＮ
【図１】
2015212882.tif 000003
【図２】
2015212882.tif 000004
【図３】
2015212882.tif 000005
【図４】
2015212882.tif 000006
【図５】
2015212882.tif 000007
【図６】
2015212882.tif 000008
【図７】
2015212882.tif 000009
【図８】
2015212882.tif 000010
【図９】
2015212882.tif 000011
【図１０】
2015212882.tif 000012
【図１１】
2015212882.tif 000013
【図１２】
2015212882.tif 000014
【図１３】
2015212882.tif 000015
【図１４】
2015212882.tif 000016